(57)【特許請求の範囲】
【請求項１】
磁性体からなり、エレベーターの機械室内又は昇降路内に設置され、前面に開口が形成された箱状を呈し、この箱状の内側に前記エレベーターの制御回路が有する変成器が収容された筐体と、
磁性体からなり、少なくとも前記筐体の前記開口の左縁から右縁にわたって配置され、左右両端のそれぞれが前記筐体と磁気的に結合された磁気シールド手段と、を備えたことを特徴とするエレベーターの制御盤。
【請求項２】
前記磁気シールド手段は、シート状を呈し、
前記磁気シールド手段の一端部に設けられ、前記磁気シールド手段を当該一端部側から巻き取る巻取り手段と、
前記磁気シールド手段の他端部に設けられ、当該他端部を前記筐体に係止する係止手段と、を備えたことを特徴とする請求項１に記載のエレベーターの制御盤。
【請求項３】
前記磁気シールド手段は、スリットが設けられていることを特徴とする請求項２に記載のエレベーターの制御盤。
【請求項４】
前記磁気シールド手段は、平面視コ字状を呈し、
前記磁気シールド手段の両端部のそれぞれに設けられ、前記筐体の内壁に係止される係止手段を備えたことを特徴とする請求項１に記載のエレベーターの制御盤。
【請求項５】
前記磁気シールド手段は、平板帯状を呈し、
前記磁気シールド手段の一端部に設けられ、前記磁気シールド手段を当該一端部において前記筐体に対して回転可能に支持する軸と、
前記磁気シールド手段の他端部に設けられ、当該他端部を前記筐体に係止する係止手段と、を備えたことを特徴とする請求項１に記載のエレベーターの制御盤。
【請求項６】
前記係止手段は、磁石を備えたことを特徴とする請求項２から請求項５のいずれか一項に記載のエレベーターの制御盤。
【請求項７】
前記磁気シールド手段に設けられ、前記磁気シールド手段に発生する電圧により駆動されるＬＥＤ回路を備えたことを特徴とする請求項１から請求項６のいずれか一項に記載のエレベーターの制御盤。
【請求項８】
前記磁気シールド手段に設けられ、前記磁気シールド手段に発生する電圧により駆動されるファン回路を備えたことを特徴とする請求項１から請求項７のいずれか一項に記載のエレベーターの制御盤。
【発明の詳細な説明】
【技術分野】
【０００１】
この発明は、エレベーターの制御盤に関するものである。
【背景技術】
【０００２】
従来においては、軸方向の両端部に端部絶縁を備えた巻線と、端部絶縁を介して巻線を挟持する巻線抑え板と、巻線より外側の複数箇所で一対の巻線抑え板間に締め付け荷重を加える連結ボルトと、巻線抑え板及び連結ボルトに支持されて巻線を同心状に包囲する電気良導体からなる磁気シールドと、を備えたリアクトルが知られている（例えば、特許文献１参照）。
【先行技術文献】
【特許文献】
【０００３】
【特許文献１】特開平０９−０８２５３６号公報
【発明の概要】
【発明が解決しようとする課題】
【０００４】
エレベーターの制御盤は、エレベーターの機械室内あるいは昇降路内に設置されることが一般的である。ここで、近年における機械室内及び昇降路内における空間の有効活用化傾向を鑑みると、制御盤についてもさらなる小型化、高密度化が求められる。さらには、制御盤の設置空間の関係上、制御盤の形状についても課される制約が厳しくなりつつあるのが現状である。
【０００５】
しかしながら、特許文献１に示された従来におけるリアクトルは、巻線より外側に磁気シールドを備えており装置が大型である。このため、このようなリアクトルを採用した変成器をエレベーターの制御盤内に収容すると、制御盤も大型化してしまう。また、制御盤形状への制約についても対応することが困難になってしまう。
【０００６】
この発明は、このような課題を解決するためになされたもので、内部に収容した変成器からの磁界の漏洩を防ぐことができ、かつ、制御盤のサイズの肥大化を抑制するとともに、制御盤の形状についての制約へも柔軟に対応することができるエレベーターの制御盤を得るものである。
【課題を解決するための手段】
【０００７】
この発明に係るエレベーターの制御盤においては、磁性体からなり、エレベーターの機械室内又は昇降路内に設置され、前面に開口が形成された箱状を呈し、この箱状の内側に前記エレベーターの制御回路が有する変成器が収容された筐体と、磁性体からなり、少なくとも前記筐体の前記開口の左縁から右縁にわたって配置され、左右両端のそれぞれが前記筐体と磁気的に結合された磁気シールド手段と、を備えた構成とする。
【発明の効果】
【０００８】
この発明に係るエレベーターの制御盤においては、内部に収容した変成器からの磁界の漏洩を防ぐことができ、かつ、制御盤のサイズの肥大化を抑制するとともに、制御盤の形状についての制約へも柔軟に対応することができるという効果を奏する。
【図面の簡単な説明】
【０００９】
【図１】この発明の実施の形態１に係るエレベーターの制御盤の斜視図である。
【図２】この発明の実施の形態２に係るエレベーターの制御盤の斜視図である。
【図３】この発明の実施の形態３に係るエレベーターの制御盤の斜視図である。
【図４】この発明の実施の形態４に係るエレベーターの制御盤の斜視図である。
【図５】この発明の実施の形態５に係るエレベーターの制御盤の斜視図である。
【図６】この発明の実施の形態６に係るエレベーターの制御盤の斜視図である。
【図７】この発明の実施の形態７に係るエレベーターの制御盤に収容される変成器の正面図である。
【図８】この発明の実施の形態８に係るエレベーターの制御盤に収容される変成器の正面図である。
【発明を実施するための形態】
【００１０】
この発明を添付の図面に従い説明する。各図を通じて同符号は同一部分又は相当部分を示しており、その重複説明は適宜に簡略化又は省略する。
【００１１】
実施の形態１．
図１は、この発明の実施の形態１に係るエレベーターの制御盤の斜視図である。この図１に示す制御盤１は、エレベーターの図示しない昇降路内、あるいは、昇降路の頂部に設けられた図示しない機械室内に設置される。制御盤１は、筐体２を備えている。
【００１２】
この筐体２は、例えば板金等の磁性体から構成されている。筐体２は、前面に開口が形成された箱状を呈する。すなわち、筐体２は、背面部、上面部、下面部、及び、左右の両側面部を備える。そして、筐体２の前面側は開口されている。この前面の開口における左右の両縁には、一定の幅を持つ前面左縁部２ａ及び前面右縁部２ｂが形成されている。このように形成された箱状の筐体２の内側には、エレベーターの制御回路が有する変成器３が収容される。変成器３とは、具体的に例えば、トランス又はリアクトル等である。
【００１３】
筐体２の前面の開口には、磁気シールドシート４が設けられている。この磁気シールドシート４は、シート状を呈する磁性体からなる。磁気シールドシート４は、巻くことができる程度の柔軟性を有する。筐体２の前面左縁部２ａには、巻取り機構５が設けられている。磁気シールドシート４の左端は、この巻取り機構５に連結されている。巻取り機構５は、磁気シールドシート４を左端側から巻き取ることができるように構成されている。巻取り機構５は、磁性体からなる。磁気シールドシート４の左端は、この巻取り機構５を介して、筐体２と磁気的に結合されている。
【００１４】
磁気シールドシート４の右端は、係止部６を介して、筐体２の前面右縁部２ｂに係止可能になっている。この係止部６は、磁気シールドシート４の右端部近傍に取り付けられた磁石を備えている。そして、この磁石により前面右縁部２ｂを吸着することにより、磁気シールドシート４の右端が前面右縁部２ｂに係止される。磁気シールドシート４の右端を係止部６で筐体２の前面右縁部２ｂに係止した状態では、磁気シールドシート４の右端は筐体２と磁気的に結合される。
【００１５】
このように構成された制御盤１において、エレベーターの運転時には、磁気シールドシート４を巻取り機構５から引き出し、磁気シールドシート４の右端部を係止部６により筐体２の前面右縁部２ｂに係止する。すると、磁気シールドシート４は、筐体２の前面の開口の左縁から右縁にわたって配置される。
【００１６】
この状態においては、磁気シールドシート４の左右両端のそれぞれが筐体２と磁気的に結合される。筐体２及び磁気シールドシート４はいずれも磁性体である。したがって、筐体２と磁気シールドシート４とにより変成器３の前後左右を一続きに包囲する磁性体のループが形成され、変成器３の動作により発生する磁界が筐体２の外部へと漏れることを防ぐことができる。
【００１７】
一方、作業員等が筐体２内の変成器３等に対してアクセスする際には、係止部６による磁気シールドシート４の右端部の筐体２への係止を外した状態とする。そして、巻取り機構５により磁気シールドシート４を巻き取り収納する。こうすることで、筐体２の前面の開口が開放され、作業員等がこの開口から筐体２内の変成器３等の各種機器に容易にアクセスすることができる。
【００１８】
なお、ここで、磁気シールドシート４を巻取り機構５から引き出して係止部６に係止した状態（すなわち、磁気シールド用のループが形成された状態）において、変成器３から磁界が発生すると、当該磁界により磁気シールドシート４には誘導起電力が生じる。
【００１９】
そこで、磁気シールドシート４に、磁気シールドシート４に発生する電圧（誘導起電力）により駆動されるＬＥＤ回路を設けるようにしてもよい。このようにすることで、変成器３により発生される磁界を遮蔽する際に磁気シールドシート４に発生する電圧を有効に活用し、ＬＥＤ回路のＬＥＤを発光させて変成器３が動作中であることを作業員等に知らせることができる。
【００２０】
また、このＬＥＤ回路に代えて、あるいは、ＬＥＤ回路とともに、磁気シールドシート４に発生する電圧（誘導起電力）により駆動されるファン回路を磁気シールドシート４に設けるようにしてもよい。このようにすることで、変成器３により発生される磁界を遮蔽する際に磁気シールドシート４に発生する電圧を有効に活用して、ファン回路により筐体２内を冷却することができる。
【００２１】
なお、係止部６について、ここで説明した磁石を用いた例の他、突起あるいはネジ等を用いるようにしてもよい。突起を用いる場合、例えば、前面右縁部２ｂに突起を設けるとともに、磁気シールドシート４の右端部の対応する位置に係止孔を設ける。そして、この突起を係止孔内に引っ掛けることで、磁気シールドシート４を係止する。また、ネジを用いる場合、磁気シールドシート４の右端部をネジの頭と前面右縁部２ｂとの後に挟み、ネジを締め付けることで磁気シールドシート４を係止する。
【００２２】
以上のように構成されたエレベーターの制御盤は、磁性体からなり、エレベーターの機械室内又は昇降路内に設置され、前面に開口が形成された箱状を呈し、この箱状の内側にエレベーターの制御回路が有する変成器３が収容された筐体２と、磁性体からなり、少なくとも筐体２の開口の左縁から右縁にわたって配置され、左右両端のそれぞれが筐体２と磁気的に結合された磁気シールド手段である磁気シールドシート４と、を備えている。
【００２３】
このため、制御盤内の変成器３（トランス、リアクトル等）に対して、磁性体である筐体２を活用して磁気シールドを形成することにより、少ない空間で磁気シールドを形成することができる。したがって、内部に収容した変成器からの磁界の漏洩を防ぐことができ、かつ、制御盤のサイズの肥大化を抑制するとともに、制御盤の形状についての制約へも柔軟に対応することができる。
【００２４】
また、磁気シールド手段としてシート状の磁気シールドシート４を用い、磁気シールドシート４の一端部に設けられ、磁気シールドシート４を当該一端部側から巻き取る巻取り機構５と、磁気シールドシート４の他端部に設けられ、当該他端部を筐体２に係止する係止部６と、を備えることで、保守点検時等における制御盤内へのアクセスが容易になる。
【００２５】
実施の形態２．
図２は、この発明の実施の形態２に係るエレベーターの制御盤の斜視図である。実施の形態１においては磁気シールドシート４を左右方向に引き出し／巻き取りする構成例について説明した。これに対し、ここで説明する実施の形態２は、磁気シールドシート４を引き出し／巻き取りする方向を上下方向にしたものである。
【００２６】
すなわち、図２に示すように、巻取り機構５は、筐体２の前面の開口の上縁部分に取り付けられる。この巻取り機構５は、前面左縁部２ａ及び前面右縁部２ｂの上端近傍において支持されている。係止部６は、磁気シールドシート４の下端部における左右両縁寄りに設けられる。この係止部６は実施の形態１と同様に、磁石、突起あるいはネジを利用することができる。
【００２７】
このように構成された制御盤１において、エレベーターの運転時には、磁気シールドシート４を巻取り機構５から下へと引き出し、磁気シールドシート４の下端部を係止部６により筐体２に係止する。この際、磁気シールドシート４の下端部における左縁寄りが前面左縁部２ａに係止され、右縁寄りが前面右縁部２ｂに係止される。
【００２８】
この状態においては、磁気シールドシート４の左右両端のそれぞれが筐体２と磁気的に結合される。筐体２及び磁気シールドシート４はいずれも磁性体である。したがって、筐体２と磁気シールドシート４とにより変成器３の前後左右を一続きに包囲する磁性体のループが形成され、変成器３の動作により発生する磁界が筐体２の外部へと漏れることを防ぐことができる。この際、磁気シールドシート４の下端が変成器３の下端よりも下方となるようにすることより確実に変成器３から生じる磁界を遮蔽することができる。
【００２９】
一方、作業員等が筐体２内の変成器３等に対してアクセスする際には、係止部６による磁気シールドシート４の下端部の筐体２への係止を外した状態とする。そして、巻取り機構５により磁気シールドシート４を巻き取り収納する。こうすることで、筐体２の前面の開口が開放され、作業員等がこの開口から筐体２内の変成器３等の各種機器に容易にアクセスすることができる。
【００３０】
なお、他の構成については実施の形態１と同様であり、その説明は省略する。以上のように構成されたエレベーターの制御盤においても、実施の形態１と同様の作用効果を奏することができる。
【００３１】
実施の形態３．
図３は、この発明の実施の形態３に係るエレベーターの制御盤の斜視図である。ここで説明する実施の形態３は、前述した実施の形態１又は実施の形態２の構成において、磁気シールドシートにスリットを設けるようにしたものである。
【００３２】
すなわち、この実施の形態３においては、図３に示すように、磁気シールドシート４には複数のスリット４ａが設けられている。ここでは、左右方向に沿って伸びたスリット４ａが、上下に平行に複数配置されている。この際、スリット４ａは、磁気シールドシート４の左右方向の連続性が損なわれないように配置される。
【００３３】
磁気シールドシート４として用いられる磁性体材料の幅、厚み、素材、スリット４ａの配置等は、制御盤１及び制御盤１内に収容される変成器３等の機器の仕様に応じて適宜に決定される。なお、この図３では、磁気シールドシート４を左右方向に引き出し／巻き取りする実施の形態１の構成においてスリット４ａを設けた例について示したが、磁気シールドシート４を上下方向に引き出し／巻き取りする実施の形態２の構成においても同様にしてスリットを設けることができる。他の構成については実施の形態１又は実施の形態２と同様であって、その詳細説明は省略する。
【００３４】
以上のように構成されたエレベーターの制御盤は、実施の形態１又は実施の形態２の構成において、シート状の磁気シールド手段である磁気シールドシート４に、前後に貫通するスリット４ａを設けたものである。
【００３５】
このため、実施の形態１又は実施の形態２と同様の効果を奏することができるのに加えて、磁気シールドシート４のスリット４ａを介して筐体２内の換気・放熱を促し、筐体２の放熱性を改善することができる。
【００３６】
実施の形態４．
図４は、この発明の実施の形態４に係るエレベーターの制御盤の斜視図である。
ここで説明する実施の形態４は、実施の形態１における磁気シールドシートに代えて、平面視略コ字状の磁気シールド体を用いるようにしたものである。
【００３７】
すなわち、図４に示すように、筐体２の背面部２ｃには、磁気シールド体７が取り付けられている。磁気シールド体７は、平板帯状の磁性体（例えば鋼板等）からなる部材を、いわゆるハット曲げして形成されている。したがって、磁気シールド体７は、その両端を除くと平面視略コ字状を呈している。
【００３８】
磁気シールド体７の両端部は、筐体２の背面部２ｃの内壁に係止部６を介して係止される。この係止部６は、磁気シールド体７の両端に設けられた磁石を備えている。そして、これら磁気シールド体７の両端の磁石を背面部２ｃに吸着させることで、磁気シールド体７が背面部２ｃに係止されて取り付けられる。
【００３９】
磁気シールド体７は、筐体２内の変成器３の前側と左右両側とを包囲するように配置される。変成器３の後面は筐体２の背面部２ｃに取り付けられている。この筐体２の背面部２ｃも、磁気シールド体７と同じく磁性体である。したがって、磁気シールド体７と背面部２ｃとにより変成器３の前後左右を一続きに包囲する磁性体のループが形成され、変成器３の動作により発生する磁界が筐体２の外部へと漏れることを防ぐことができる。
【００４０】
なお、図４では筐体２の背面部２ｃのみを図示している。この実施の形態４における筐体２としては少なくとも変成器３が取り付けられる背面部２ｃが備えられていればよい。ただし、実施の形態１〜３のように前面に開口を有する箱状の筐体２を用いることは妨げられない。箱状の筐体２を用いた場合、磁気シールド体７は、前面の開口の左縁から右縁にわたって配置されることが好ましい。
【００４１】
また、磁気シールド体７を取り付けるための係止部６は、磁石を用いる他、ネジを用いるようにしてもよい。ただし、磁石を用いることで、背面部２ｃに対する磁気シールド体７の取り付け位置の制約が少なくなり、比較的自由に磁気シールド体７の取り付け位置を決めることができるという利点がある。
【００４２】
さらに、図４では磁気シールド体７を１つだけ取り付けた例について図示しているが、必要に応じて、複数の磁気シールド体７を設けるようにしてもよい。
【００４３】
このように構成されたエレベーター制御装置では、実施の形態１と同様の効果を奏することができるのに加えて、筐体２の形状にとらわれることなく、より自由度の高い配置で磁気シールドを形成することが可能である。したがって、変成器３の漏れ磁束の方向に応じて、より適切な磁気シールドを磁気シールド体により形成することができる。また、制御盤１の形状に対して課される制約にも柔軟に対応できる。さらに、磁気シールド体の取り外しも容易である。
【００４４】
実施の形態５．
図５は、この発明の実施の形態５に係るエレベーターの制御盤の斜視図である。
ここで説明する実施の形態５は、実施の形態１における磁気シールドシートに代えて、平板帯状の磁気シールド体を用いるようにしたものである。
【００４５】
すなわち、図５に示すように、筐体２の前面の開口には、磁気シールド体７が設けられている。この磁気シールド体７は、平板帯状を呈する磁性体からなる。磁気シールド体７の左右両端は、それぞれ係止部６を介して、筐体２の前面左縁部２ａ及び前面右縁部２ｂに係止可能になっている。
【００４６】
係止部６は、磁気シールド体７の左右両端部近傍にそれぞれ取り付けられた磁石を備えている。そして、この磁石により前面左縁部２ａ及び前面右縁部２ｂを吸着することにより、磁気シールド体７の左右両端が前面左縁部２ａ及び前面右縁部２ｂにそれぞれ係止される。磁気シールド体７の左右両端を係止部６で筐体２の前面左縁部２ａ及び前面右縁部２ｂに係止した状態では、磁気シールド体７の左右両端はそれぞれ筐体２と磁気的に結合される。
【００４７】
このように構成された制御盤１において、エレベーターの運転時には、磁気シールド体７の左右両端を前面左縁部２ａ及び前面右縁部２ｂに係止する。すると、磁気シールド体７は、筐体２の前面の開口の左縁から右縁にわたって配置される。
【００４８】
この状態においては、磁気シールド体７の左右両端のそれぞれが筐体２と磁気的に結合される。筐体２及び磁気シールド体７はいずれも磁性体である。したがって、筐体２と磁気シールド体７とにより変成器３の前後左右を一続きに包囲する磁性体のループが形成され、変成器３の動作により発生する磁界が筐体２の外部へと漏れることを防ぐことができる。
【００４９】
一方、作業員等が筐体２内の変成器３等に対してアクセスする際には、磁気シールド体７の左右両端を前面左縁部２ａ及び前面右縁部２ｂから外す。こうすることで、筐体２の前面の開口が開放され、作業員等がこの開口から筐体２内の変成器３等の各種機器に容易にアクセスすることができる。
【００５０】
なお、実施の形態４と同様、磁気シールド体７を取り付けるための係止部６は、磁石を用いる他、ネジを用いるようにしてもよい。ただし、磁石を用いることで、筐体２に対する磁気シールド体７の取り付け位置の制約が少なくなり、比較的自由に磁気シールド体７の取り付け位置を決めることができるという利点がある。
【００５１】
また、図５では磁気シールド体７を１つだけ取り付けた例について図示しているが、必要に応じて、複数の磁気シールド体７を設けるようにしてもよい。他の構成については、実施の形態１と同様である。
【００５２】
以上のように構成されたエレベーターの制御盤においては、より簡潔な構成で、実施の形態１と同様の効果を奏することができる。
【００５３】
実施の形態６．
図６は、この発明の実施の形態６に係るエレベーターの制御盤の斜視図である。
ここで説明する実施の形態６は、実施の形態５の磁気シールド体の一端側を軸を介して筐体の前面縁部に取り付けることで、筐体に対して磁気シールド体が回転可能なようにしたものである。
【００５４】
すなわち、図６に示すように、筐体２の前面の開口には、磁気シールド体７が設けられている。この磁気シールド体７は、平板帯状を呈する磁性体からなる。磁気シールド体７の左端部は、軸８を介して、筐体２の前面左縁部２ａに回転可能に取り付けられている。軸８は磁性体からなる。磁気シールド体７の左端は、この軸８を介して、筐体２と磁気的に結合されている。
【００５５】
磁気シールド体７の右端は、係止部６を介して、筐体２の前面右縁部２ｂに係止可能になっている。この係止部６は、磁気シールド体７の右端部近傍に取り付けられた磁石を備えている。そして、この磁石により前面右縁部２ｂを吸着することにより、磁気シールド体７の右端が前面右縁部２ｂに係止される。なお、実施の形態１等と同様、係止部６に突起又はネジを使用することもできる。磁気シールド体７の右端を係止部６で筐体２の前面右縁部２ｂに係止した状態では、磁気シールド体７の右端は筐体２と磁気的に結合される。
【００５６】
このように構成された制御盤１において、エレベーターの運転時には磁気シールド体７を軸８を中心に回転させて、磁気シールド体７の右端部を係止部６により筐体２の前面右縁部２ｂに係止する。すると、磁気シールド体７は、筐体２の前面の開口の左縁から右縁にわたって配置される。
【００５７】
この状態においては、磁気シールド体７の左右両端のそれぞれが筐体２と磁気的に結合される。筐体２及び磁気シールド体７はいずれも磁性体である。したがって、筐体２と磁気シールド体７とにより変成器３の前後左右を一続きに包囲する磁性体のループが形成され、変成器３の動作により発生する磁界が筐体２の外部へと漏れることを防ぐことができる。
【００５８】
一方、作業員等が筐体２内の変成器３等に対してアクセスする際には、係止部６による磁気シールド体７の右端部の筐体２への係止を外した状態とする。そして、軸８を中心にして磁気シールド体７を上方向又は下方向へと回転させる（図６には下方向に回転させた場合を図示している）。こうすることで、筐体２の前面の開口が開放され、作業員等がこの開口から筐体２内の変成器３等の各種機器に容易にアクセスすることができる。
【００５９】
このように構成されたエレベーター制御装置では、実施の形態５と同様の効果を奏することができるのに加えて、磁気シールド体の一端を軸で支持することにより、簡潔な構成で磁気シールド体を変成器３からの磁界漏れを防止する位置と変成器３へのアクセスを容易にする位置との間で移動させることができる。
【００６０】
実施の形態７．
図７は、この発明の実施の形態７に係るエレベーターの制御盤に収容される変成器の正面図である。
この図７に示すように、変成器３の下端には、リング状の下枠９が取り付けられている。下枠９は、変成器３の前後面及び左右側面より若干外側に配置される。下枠９は、平面視において変成器３の前後左右を包囲することができるのであれば、略円形でも略矩形状でもよい。下枠９は筐体と一体に形成することもできる。
【００６１】
上枠１０は、下枠９と同形状を持つ枠体である。上枠１０は、下枠９の上方に配置される。下枠９及び上枠１０は、ともに磁性体からなる。下枠９と上枠１０との間には、磁気シールドカバー１１が設けられる。磁気シールドカバー１１は磁性体からなる幕状の部材である。磁気シールドカバー１１の上下端は、それぞれ上枠１０及び下枠９に連結されている。
【００６２】
このように構成された制御盤において、エレベーターの運転時には、上枠１０を上方へと移動させ、磁気シールドカバー１１を展開する。この状態においては、磁気シールドカバー１１により変成器３の前後左右を一続きに包囲する磁性体のループが形成され、変成器３の動作により発生する磁界が筐体２の外部へと漏れることを防ぐことができる。
【００６３】
一方、作業員等が変成器３に対してアクセスする際には、上枠１０を下方へと移動させて磁気シールドカバー１１を畳む。すると、変成器３の前後左右が開放され、作業員は容易に変成器３にアクセスすることができる。
【００６４】
なお、磁気シールドカバー１１は、折り畳むことができ、かつ、上枠１０を上方へと持ち上げて展開した際に、その展開された状態を保持できる性質を有する素材を用いることが好ましい。展開した際に磁気シールドカバー１１自らではその状態を保持できない場合には、例えばリンク機構等を追加して設けることで磁気シールドカバー１１が展開された状態を保持できるようにする。
【００６５】
以上のように構成されたエレベーターの制御盤は、筐体２の形状にとらわれることなく、より確実に磁界の漏洩を防ぐことができる磁気シールドを形成することが可能である。また、制御盤１の形状に対して課される制約にも柔軟に対応できる。
【００６６】
実施の形態８．
図８は、この発明の実施の形態８に係るエレベーターの制御盤に収容される変成器の正面図である。
この図８に示すように、変成器３の下端には、下枠９が取り付けられている。下枠９は、正面視における変成器３の中心から見て左側又は右側の一方に配置される。変成器３の前後面及び左右側面より若干外側に配置される。下枠９は筐体と一体に形成することもできる。
【００６７】
上枠１０は、下枠９と同形状を持つ枠体である。上枠１０は、下枠９の上方に配置される。下枠９及び上枠１０は、ともに磁性体からなる。下枠９と上枠１０は、正面視における変成器３の中心側の端部において軸１２により連結されている。下枠９と上枠１０との間には、磁気シールドカバー１１が設けられる。磁気シールドカバー１１は磁性体からなるフード状の部材である。磁気シールドカバー１１の両端は、それぞれ下枠９及び上枠１０に連結されている。
【００６８】
このように構成された制御盤において、エレベーターの運転時には、軸１２を中心に上枠１０を下枠９から離れる方向へと回転させ、磁気シールドカバー１１を展開する。この状態においては、磁気シールドカバー１１により変成器３から発生する磁界が筐体２の外部へと漏れることを防ぐことができる。
【００６９】
一方、作業員等が変成器３に対してアクセスする際には、軸１２を中心に上枠１０を下枠９へと近づける方向へと回転させて磁気シールドカバー１１を畳む。すると、作業員は容易に変成器３にアクセスすることができる。
【００７０】
以上のように構成されたエレベーターの制御盤においても、実施の形態７と同様の効果を奏することができる。
【００７１】
なお、実施の形態７、８を説明する際に参照した図７、８においては、変成器３を収容する筐体については図示を省略している。この筐体としては、実施の形態４で述べた背面部のみを有するものを用いてもよいし、実施の形態１〜３で述べたような前面に開口を有する箱状の筐体を用いてもよい。箱状の筐体を用いた場合、磁気シールドカバー１１は、前面の開口の左縁から右縁にわたって配置されることが好ましい。
【符号の説明】
【００７２】
１  制御盤、  ２  筐体、  ２ａ  前面左縁部、  ２ｂ  前面右縁部、  ２ｃ  背面部、  ３  変成器、  ４  磁気シールドシート、  ４ａ  スリット、  ５  巻取り機構、  ６  係止部、  ７  磁気シールド体、  ８  軸、  ９  下枠、  １０  上枠、  １１  磁気シールドカバー、  １２  軸
【図１】
0006028682.tif 000002
【図２】
0006028682.tif 000003
【図３】
0006028682.tif 000004
【図４】
0006028682.tif 000005
【図５】
0006028682.tif 000006
【図６】
0006028682.tif 000007
【図７】
0006028682.tif 000008
【図８】
0006028682.tif 000009